(57)【要約】【課題】ＱｕｉｃｋＴｉｍｅファイルをＵＤＦファイルシステムなどのディスクに記録する構成であっても、コピーの簡便性とファイルの高速検索性を兼ね備えた画像やオーディオの記録装置、記録方法、記録再生装置及び記録再生方法を提供することを目的とする。【解決手段】撮影された動画像を、特性の異なる複数のエリアを持つディスク状記録媒体に単独のＱｕｉｃｋＴｉｍｅファイルとして記録する記録再生装置を構成し、その複数のエリアは、アクセス速度の速い第一のエリアとアクセス速度の遅い第二のエリアを含み、その第一のエリアにＱｕｉｃｋＴｉｍｅファイルフォーマットにおける「ムービー」部分を記録し、その第二のエリアにＱｕｉｃｋＴｉｍｅファイルフォーマットにおける「メディアデータ」部分を記録する。【選択図】      図４
2005012262.tif 000002
【特許請求の範囲】
【請求項１】
入力された動画像データをディスク状記録媒体の複数のエリアに記録する記録装置であって、
前記動画像データをＱｕｉｃｋＴｉｍｅファイルフォーマットに従って記録する記録手段を有し、
前記記録手段は前記ディスク状記録媒体における第１の記録エリアにＱｕｉｃｋＴｉｍｅファイルフォーマットにおける「ムービー」部分を記録し、第２の記録エリアにＱｕｉｃｋＴｉｍｅファイルフォーマットにおける「メディアデータ」部分を記録することを特徴とする記録装置。
【請求項２】
請求項１において、前記ディスク状記録媒体はアクセス速度の速い前記第１の記録エリアと、前記第１の記録エリアに比べてアクセス速度の遅い前記第２の記録エリアを含むことを特徴とする記録装置。
【請求項３】
請求項１または２において、前記第１の記録エリアは前記ディスク状記録媒体の内周側に配置され、前記第２の記録エリアは前記ディスク状記録媒体の外周側に配置されることを特徴とする記録装置。
【請求項４】
請求項１において、動画像を撮影する撮像手段を更に有し、前記記録手段は該撮像手段によって生成された前記動画像データを撮影動作と連動して記録することを特徴とする記録装置。
【請求項５】
入力された動画像データをディスク状記録媒体の複数のエリアに記録する記録方法であって、
前記動画像データをＱｕｉｃｋＴｉｍｅファイルフォーマットに従って記録する記録工程を有し、
前記記録工程では前記ディスク状記録媒体における第１の記録エリアにＱｕｉｃｋＴｉｍｅファイルフォーマットにおける「ムービー」部分を記録し、第２の記録エリアにＱｕｉｃｋＴｉｍｅファイルフォーマットにおける「メディアデータ」部分を記録することを特徴とする記録方法。
【請求項６】
入力された動画像データをディスク状記録媒体の複数のエリアに記録して再生可能とする記録再生装置であって、
前記動画像データをＱｕｉｃｋＴｉｍｅファイルフォーマットに従って記録する記録手段を有し、
前記記録手段は前記ディスク状記録媒体における第１の記録エリアにＱｕｉｃｋＴｉｍｅファイルフォーマットにおける「ムービー」部分を記録し、第２の記録エリアにＱｕｉｃｋＴｉｍｅファイルフォーマットにおける「メディアデータ」部分を記録することを特徴とする記録再生装置。
【請求項７】
入力された動画像データをディスク状記録媒体の複数のエリアに記録して再生可能とする記録再生方法であって、
前記動画像データをＱｕｉｃｋＴｉｍｅファイルフォーマットに従って記録する記録工程を有し、
前記記録工程では前記ディスク状記録媒体における第１の記録エリアにＱｕｉｃｋＴｉｍｅファイルフォーマットにおける「ムービー」部分を記録し、第２の記録エリアにＱｕｉｃｋＴｉｍｅファイルフォーマットにおける「メディアデータ」部分を記録することを特徴とする記録再生方法。
【発明の詳細な説明】
【０００１】
【発明の属する技術分野】
本発明はディスク状の記録媒体を用いた画像やオーディオの記録装置、記録方法、記録再生装置及び記録再生方法に関するものである。
【０００２】
【従来の技術】
近年、記録媒体として、ＤＶＤ等のディスク状の記録媒体（以下、ディスクと称す）を採用したカメラ一体型記録再生装置（以下、ビデオカメラと称す）が登場している。このようなビデオカメラでは、磁気テープには無かった記録媒体のランダムアクセス性を特徴にして、製品が構成されている。例えば、上記のビデオカメラでは、撮影したシーンからなる動画及び音声をファイルとしてディスクに記録できる。再生時は各ファイルにダイレクトにアクセスして、ファイル単位で容易かつ高速な再生動作を行うことができる（このようなビデオカメラは、例えば特許文献１参照。）。
【０００３】
一方、パーソナルコンピュータ等の分野においては、ビデオやオーディオといったマルチメディアを扱うためのツールとして、米国アップルコンピュータ社が提供する「ＱｕｉｃｋＴｉｍｅ」（商標）におけるデータ記録形式（以下、単に「ＱｕｉｃｋＴｉｍｅ」と称す）が知られている。ＱｕｉｃｋＴｉｍｅファイルフォーマットはオーディオ、ビデオなどのマルチメディアデータを時系列に扱うのに好適なファイルフォーマットであり、これをベースにしたファイルフォーマットがＭＰＥＧ４でも採用されている。（ＱｕｉｃｋＴｉｍｅについては、例えば特許文献２参照。）。
【０００４】
ＱｕｉｃｋＴｉｍｅのファイルフォーマットは大きくは「メディアデータ」と「ムービー」の二つの部分から構成される。「メディアデータ」はオーディオ、ビデオなどの実データである。「ムービー」はその「メディアデータ」を各アプリケーションで交換可能とするフォーマットであり、「メディアデータ」のいろいろな付属情報を保持する。
【０００５】
さらにＱｕｉｃｋＴｉｍｅファイルフォーマットにはこれらの「メディアデータ」と「ムービー」の持ち方に対して二つのタイプがある。第一のタイプは「メディアデータ」と「ムービー」が一つのファイルとして保持されている独立型のファイル形式と呼ばれるタイプである。第二のタイプは「メディアデータ」と「ムービー」が別のファイルに別れて保持される参照型のファイル形式と呼ばれるタイプである。参照型の場合「ムービー」のファイルの中に「メディアデータ」のファイルへの参照情報が保持されている。一般に、ファイル再生などのアプリケーションは「ムービー」を経由してＱｕｉｃｋＴｉｍｅファイルにアクセスするが、「ムービー」を経由してＱｕｉｃｋＴｉｍｅファイルにアクセスする限りにおいては、アプリケーションは独立型か参照型かを意識せずにすむ。
【０００６】
【特許文献１】
特開２００２−３１４９１６号公報
【特許文献２】
特表２００２−５１０１６５号公報
【０００７】
【発明が解決しようとする課題】
ここで前述したＱｕｉｃｋＴｉｍｅファイルを、書き換え可能なディスクを用いたビデオカメラ等の記録再生装置に適用した場合を考える。この場合、ディスクのファイルシステムであるＵＤＦ（Ｕｎｉｖｅｒｓａｌ  Ｄｉｓｋ  Ｆｏｒｍａｔ）に従ってＱｕｉｃｋＴｉｍｅファイルをディスク上に記録することになるが、以下の課題が存在する。
【０００８】
参照型のＱｕｉｃｋＴｉｍｅファイルの場合は、ファイルが二つに分かれて記録されているためファイルコピー時に以下の問題が発生する。すなわちＱｕｉｃｋＴｉｍｅファイルとしては「メディアデータ」と「ムービー」の二つのファイルは関連づいているが、ＵＤＦファイルシステムとしてはまったく独立の二つのファイルとして認識されるため、例えば「ムービー」のファイルのコピーを実行しても、「メディアデータ」のファイルはコピー先にはコピーされない。その結果、コピー先ではコピーされた「ムービー」を指定しても、実データがないためファイル再生などのアプリケーションを実行できないといった不具合につながる。
【０００９】
一方、独立型のＱｕｉｃｋＴｉｍｅファイルの場合は、ファイルの操作性に以下の問題がある。一般に、ＣＤやＤＶＤなどのＵＤＦファイルシステムを備えたディスクでは、例えばハードディスクドライブに比べると、転送速度／シーク速度が遅く、ファイルアクセスに時間がかかる。その上、独立型のＱｕｉｃｋＴｉｍｅファイルフォーマットで扱うビデオデータは大容量であることが多いため、そのファイルアクセスには非常に時間がかかってしまう。
【００１０】
本発明は上記の如き問題点を解決して、ＱｕｉｃｋＴｉｍｅファイルをＵＤＦファイルシステムなどのディスクに記録する構成であっても、コピーの簡便性とファイルの高速検索性を兼ね備えた画像やオーディオの記録装置、記録方法、記録再生装置及び記録再生方法を提供することを目的とする。
【００１１】
【課題を解決するための手段】
斯かる目的を達成する為の手段として、本発明は以下の構成からなる手段を有する。
【００１２】
本発明の記録装置は、入力された動画像データをディスク状記録媒体の複数のエリアに記録する記録装置であって、前記動画像データをＱｕｉｃｋＴｉｍｅファイルフォーマットに従って記録する記録手段を有し、前記記録手段は前記ディスク状記録媒体における第１の記録エリアにＱｕｉｃｋＴｉｍｅファイルフォーマットにおける「ムービー」部分を記録し、第２の記録エリアにＱｕｉｃｋＴｉｍｅファイルフォーマットにおける「メディアデータ」部分を記録することを特徴とする。
【００１３】
【発明の実施の形態】
以下、図面を参照しながら本発明の好適な実施の形態を説明する。
【００１４】
図４に本発明の実施の形態における記録再生装置１００の構成を示す。記録再生装置１００は、一例として画像（動画及び静止画）及び音声の記録・再生が可能なカメラ一体型記録再生装置であり、所謂デジタルビデオカメラである。
【００１５】
図４において、１０１は撮像系であり、入射光を電気信号に変換する。撮像系１０１はレンズ群やＣＣＤ（ＣＭＯＳでもよい）センサー部を含む。１０２はカメラ信号処理回路であり、ＣＣＤからの電気信号をＡ／Ｄ変換したのち、カラービデオ映像情報を生成する。１０３はディスプレイであり、カラービデオ映像情報を表示する。ディスプレイ１０３の表示部材は液晶パネルを使用する。１０４は動画像の符号化・復号化回路であり、本実施形態ではＭＰＥＧ  Ｃｏｄｅｃを使用する。ＭＰＥＧ  ＣｏｄｅｃはデジタルビデオデータをＭＰＥＧ２方式で圧縮符号化・復号化処理する。１０５は静止画像の符号化・復号化回路であり、本実施形態ではＪＰＥＧ  Ｃｏｄｅｃを使用する。ＪＰＥＧ  ＣｏｄｅｃはデジタルスチルイメージデータをＪＰＥＧ方式で圧縮符号化・復号化処理する。
【００１６】
１０６は圧縮符号化されたデータの入出力を実現するためのネットワークインタフェース（Ｉ／Ｆ）回路であり、本実施形態ではネットワークバスとしてＩＥＥＥ１３９４またはＵＳＢ（Ｕｎｉｖｅｒｓａｌ  Ｓｅｒｉａｌ  Ｂｕｓ）を使用する。１０７はフォーマット回路（フォーマッター）であり、記録・再生に適した形態へとデータの変換等を行う。具体的には、記録時は入力されたＭＰＥＧやＪＰＥＧのデータからなるデータコンテンツファイルを生成し、再生時には入力されたデータコンテンツファイルをＭＰＥＧやＪＰＥＧへと復元する。また、誤り訂正回路や記録再生のためのデータ変調回路などを含む。また、１０８はフォーマット回路で使用するＲＡＭ等のワークメモリである。
【００１７】
１０９はディスク記録再生部であり、ディスク状の記録媒体と光ピックアップ、磁界印加部、回転モータ等の記録再生部材並びに記録再生回路を含む。本実施形態ではディスク状記録媒体として光ディスクまたは光磁気ディスクを使用する。種類としては、ＤＶＤやＢｌｕ−ｒａｙ等である。１１０はディスク記録再生部１０９の制御回路（サーボ）である。
【００１８】
１１１は本記録再生装置１００の全体を制御するシステムコントロール回路、１１２は使用者からの操作指示を入力するキーインタフェース（Ｉ／Ｆ）である。１１３は不図示のアナログ端子を用いてビデオ信号及びオーディオ信号の入出力を行うためのオーディオビデオ入出力回路、１２１はベースバンドデータバス、１２２は符号化されたデータのバス、１２３はネットワークに接続するためのデジタル入出力端子である。以上が記録再生装置１００の構成説明である。
【００１９】
続いて、図４を用いて記録再生装置１００の動作を説明する。まず記録時の基本的な流れから説明する。撮像系１０１で撮影された画像信号はカメラ信号処理回路１０２で信号処理されたのち、ベースバンドデータバス１２１に送出される。ベースバンドデータバス１２１上のカラービデオ映像情報は動画像符号化・復号化回路１０４と静止画像符号化・復号化回路１０５にそれぞれとりこまれる。
【００２０】
動画記録である場合、動画像符号化・復号化回路１０４にとりこまれた映像情報がＭＰＥＧ２方式で符号化され、符号化された動画データはエンコーデッドデータバス１２２を経由してフォーマット回路１０７に送られる。フォーマット回路１０７では入力したＭＰＥＧデータをＭＰＥＧストリームとしてパケッタイズしてデータコンテンツファイルを作成し、さらにＱｕｉｃｋＴｉｍｅファイルフォーマットにしたがって記録用のファイルを形成した後、ディスクファイルシステムに従って記録再生部１０９内のディスク状の記録媒体に動画ファイル（ＱｕｉｃｋＴｉｍｅファイル）として記録する。
【００２１】
また、静止画記録である場合、静止画像符号化・復号化回路１０５にとりこまれた画像情報が画像一枚単位でＪＰＥＧ方式で符号化され、符号化された静止画データはエンコーデッドデータバス１２２を経由してフォーマット回路１０７に送られる。フォーマット回路１０７は入力したＪＰＥＧデータをディスクファイルシステムに合わせてエンコードした後、記録再生部１０９内のディスク状の記録媒体に記録する。
【００２２】
また、前述した記録動作時並びに後述する再生動作時には、記録再生部１０９が最適な動作を行い、データを正しく記録再生できるように、制御回路１１０がディスクの回転やピックアップの姿勢を適切に制御する。またこれを含む装置全体の動作は、システムコントロール回路１１１が制御し、システムとして整合性をとる様に制御する。システムコントロール回路１１１は、キーインタフェース１１２からの使用者によるキー入力（例えば「動画記録」、「静止画記録」、「再生開始」、「停止」、「選択」、「決定」などのコマンド）を解釈し、これに従ってシステム全体の動作制御を行う。
【００２３】
次に再生時の動作を説明する。使用者から再生開始が指示されたならば、指定されたファイル或いは装置においてデフォルトとなっているファイルを、記録媒体からよみだし、再生が開始される。
【００２４】
再生されるファイルが静止画である場合は、記録再生部１０９内のディスク状記録媒体に記録されているＪＰＥＧファイルを読み出した後、それに対してフォーマット回路１０７がディスクファイルシステムのデコードを行い、エンコーデッドデータバス１２２を経由してＪＰＥＧデータを静止画像符号化・復号化回路１０５に出力する。静止画像符号化・復号化回路１０５では入力したＪＰＥＧデータの伸張復号を行う。
【００２５】
再生されるファイルが動画である場合は、記録再生部１０９内のディスク状記録媒体に記録されている動画ファイルを読み出した後、それに対してフォーマット回路１０７がディスクファイルシステムのデコード、ＱｕｉｃｋＴｉｍｅファイルの復号、及びアンパケッタイズを行い、エンコーデッドデータバス１２２を経由してＭＰＥＧ２データを動画像符号化・復号化回路１０４に出力する。動画像符号化・復号化回路１０４では入力したＭＰＥＧ２データの伸張復号を行う。
【００２６】
動画像符号化・復号化回路１０４または静止画像符号化・復号化回路１０５で復号されたカラービデオ映像情報はベースバンドデータバス１２１を介して、ディスプレイ１０３にて表示可能である。また、同時にオーディオビデオ入出力回路１１３はベースバンドバス１２１に流れているカラービデオ映像情報を外部のテレビモニタなどに送出して表示させることができる。
【００２７】
さらに、再生されたＭＰＥＧ２データまたはＪＰＥＧデータは、エンコーデッドバス１２２を介して、ネットワークインタフェース回路１０６へ出力され、デジタル入出力端子１２３から外部の装置やネットワークへデジタル出力可能である。また、外部の装置やネットワークからデジタル入出力端子１２３に入力したデジタルデータを記録再生部１０９に記録することも可能な構成である。以上が記録装置１００の動作説明である。
【００２８】
次に、記録再生装置１００におけるフォーマット回路（フォーマッター）１０７が生成する動画ファイルの形態について説明する。本実施形態では、動画ファイルをＱｕｉｃｋＴｉｍｅの独立型のファイルフォーマットで保存する構成とした。このようなＱｕｉｃｋＴｉｍｅファイルフォーマットではその内容として「ムービー」と「メディアデータ」の二つを含む。その内、「ムービー」には以下の（１）〜（１３）のＡｔｏｍ情報が必須Ａｔｏｍとして含まれる。
（１）Ｍｏｖｉｅ  ａｔｏｍ
（２）Ｍｏｖｉｅ  ｈｅａｄｅｒ  ａｔｏｍ
（３）Ｔｒａｃｋ  ａｔｏｍ
（４）Ｔｒａｃｋ  ｈｅａｄｅｒ  ａｔｏｍ
（５）Ｍｅｄｉａ  ａｔｏｍ
（６）Ｍｅｄｉａ  ｈｅａｄｅｒ  ａｔｏｍ
（７）Ｖｉｄｅｏ  ｍｅｄｉａ  ｉｎｆｏｒｍａｔｉｏｎ  ａｔｏｍ
（８）Ｖｉｄｅｏ  ｍｅｄｉａ  ｉｎｆｏｒｍａｔｉｏｎ  ｈｅａｄｅｒ  ａｔｏｍ
（９）Ｓｏｕｎｄ  ｍｅｄｉａ  ｉｎｆｏｒｍａｔｉｏｎ  ａｔｏｍ
（１０）Ｓｏｕｎｄ  ｍｅｄｉａ  ｉｎｆｏｒｍａｔｉｏｎ  ｈｅａｄｅｒ  ａｔｏｍ
（１１）Ｄａｔａ  ｈａｎｄｌｅｒ  ｒｅｆｅｒｅｎｃｅ  ａｔｏｍ
（１２）Ｄａｔａ  ｉｎｆｏｒｍａｔｉｏｎ  ａｔｏｍ
（１３）Ｓａｍｐｌｅ  ｔａｂｌｅ  ａｔｏｍ
【００２９】
また「メディアデータ」は、本実施形態の場合、前述したＭＰＥＧ２ストリームが保存される。
【００３０】
さらに、フォーマット回路１０７で生成されたＱｕｉｃｋＴｉｍｅファイルの記録に関して、図２に前記「ムービー」と「メディアデータ」の記録領域を説明する図を示した。図２におけるディスク１０９´は、図４における記録再生部１０９内のディスク状記録媒体を表わしている。また、２０２はアクセス速度の速いディスク内周側に配置される特別領域で前記「ムービー」を記録し、２０３はそれ以外の領域から構成される一般領域で前記「メディアデータ」を記録する。記録再生装置１００における記録再生部１０９では、図２に示したような形態でディスクにデータを記録する。
【００３１】
その記録方法としては、ディスクの論理フォーマットがＵＤＦ（Ｕｎｉｖｅｒｓａｌ  Ｄｉｓｋ  Ｆｏｒｍａｔ）である場合、ＵＤＦのファイル管理システムを利用するとファイルの分割記録が可能になるのでこれを利用する。例えば本実施形態では、図３で示したようなファイルの分割記録をＵＤＦで実現する。図３において、３０１がファイル分割された前半部であり、特別領域に記録される「ムービー」である。また、３０２がファイル分割された後半部であり、一般領域に記録される「メディアデータ」である。
【００３２】
また、図２に示したようなディスク１０９´の記録形態とするためには、以下に説明する「ムービー」領域確保処理によって「ムービー」を格納するための特別領域２０２を確保し、一般領域２０３と区別しておくことが必要である。なお、「ムービー」を格納するための特別領域２０２は連続領域とすることが好ましい。また、図２に示す如く、特別領域２０２を高速にアクセスすることができるように、ディスク１０９´の中心部から一定領域を確保することが好ましく、このようにすることで「ムービー」への高速化が図られる。
【００３３】
次に、「ムービー」領域確保処理について説明する。ＵＤＦでは、特定のディレクトリに対し、そのディレクトリの下に存在するファイルのみが利用できるディスク領域を予め確保することができるが、本実施形態では「ムービー」領域のファイルサイズを有する「領域ファイル」を作成処理することで「ムービー」領域を確保する構成とした。この「ムービー」領域の確保処理は、ディスクの初期化の後、ユーザの指示によって任意のタイミングで行われる。或いは、専用ドライバ等の利用によって、ディスク初期化処理と連動して自動で処理するように構成しても良い。
【００３４】
このように領域ファイルを作成することによる「ムービー」領域の確保は、ディスク領域を予め確保する手段を持たないファイルシステムにおいて有効である。後述するファイルの記録処理によって「ムービー」が格納されると、領域ファイルのサイズはその「ムービー」の分だけ小さくなる。すなわち、格納された「ムービー」のサイズと領域ファイルのサイズの合計が常に図２の特別領域２０２のサイズと等しくなる。なお、領域ファイルは、ファイルの属性をユーザから不可視にしたり、書き込みを禁止したりする設定にすることで誤って消去されないようにするのが望ましい。以上が本実施形態における動画ファイルの形態とその記録処理に関する説明である。
【００３５】
次に、これまで説明した本実施形態における記録再生装置１００の記録処理及び再生処理を、図１、図５及び図６のフローチャートを用いて説明する。
【００３６】
図１は記録動作時における動画ファイル作成からディスク記録までの処理を示したフローチャートである。
【００３７】
まず、撮影が行われ記録のためのスタンバイモードが実行されている状況とする。このときステップＳ１０１として、「ムービー」のための記憶領域がワークメモリ１０８上に確保される。次にステップＳ１０２として、記録再生部１０９内のディスク１０９’上に書き込みのためにファイルをオープンする。このときまずファイルの先頭に「ムービー」を書き込むための領域確保を目的としてダミーの「ムービー」を書き込む。このダミーの「ムービー」は特別領域２０２に書き込まれる。このとき、このダミー「ムービー」の容量分、領域確保ファイルを小さくして、特別領域２０２の合計容量が変わらないよう処理する。
【００３８】
ここで、ステップＳ１０２の処理を図５に表わした詳細なフローチャートを用いて説明する。まず、ステップＳ５０１として、記録媒体であるディスク１０９’における領域ファイルの記録開始位置Ｌｓｔａｒｔと、記録終了位置Ｌｅｎｄを得る。本実施形態では、ＬｓｔａｒｔとＬｅｎｄを、例えばセクタ番号で表すものとする。次に、この領域ファイルの一部（先頭からの部分）をダミー「ムービー」の格納に用いるために、ステップＳ５０２として、当該領域ファイルを削除する。そして、ステップＳ５０３として、記憶媒体上のＬｓｔａｒｔの位置を記録開始位置としてダミー「ムービー」を記録し、ステップＳ５０４に進む。ステップＳ５０４では、ダミー「ムービー」の記録終了位置の次のセクタ番号を取得し、これをＬ’ｓｔａｒｔとする。さらに、ステップＳ５０５で、記録開始位置をＬ’ｓｔａｒｔ、記録終了位置をＬｅｎｄとする領域ファイルを新たに作成し、図５のフローを終了する。以上の処理により、領域ファイルによって確保された領域（初期状態では特別領域に一致する）の先頭にダミー「ムービー」が記録され、その残りの領域が新たに領域ファイルによって確保されることになる。
【００３９】
さて、ここまでの前準備を終えたのち、図１のフローに戻り、ステップＳ１０３として、ユーザの記録開始の入力を待つ。ユーザが記録ボタンを押し記録開始すると、ステップＳ１０４として「メディアデータ」の書き込みとメモリ上の「ムービー」の作成を行う。「メディアデータ」は、前述したステップＳ１０２でオープンしたそのファイルに引き続き書き込むが、このとき領域としては、図２の２０３に示される一般領域に書き込む。連続しないセクタへの書き込みはＵＤＦのルールに従って、ファイルシステムとして保障される。またこれと並行してメモリ１０８上に「ムービー」を作成する。「ムービー」は「メディアデータ」のプロパティであるプレビュー長さなどのデータや、「メディアデータ」の各サンプルへの参照データを含むため、記録が終了するまではデータが確定しない。従って、ステップＳ１０４の記録動作は、ユーザが記録終了を入力するまで繰り返される。
【００４０】
ユーザが停止ボタンを押し、記録終了を指示すると、ステップＳ１０５にて判定し、ループから抜ける。次にステップＳ１０６において、確定したメモリ上の「ムービー」データを、ステップＳ１０２で確保してあった「ムービー」領域に書き込み、ステップＳ１０７でファイルをクローズして記録動作を終了する。以上が記録処理のフローの説明である。
【００４１】
また、再生時の処理を図６のフローチャートを用いて説明する。図６において、ステップＳ６０１として、ユーザから再生開始が指示されると、ステップＳ６０２としてディスク１０９’の特別領域からまず「ムービー」を読込む。次いで、ステップＳ６０３として読み出された「ムービー」に対応する「メディアデータ」を一般領域から読込む。その結果、ステップＳ６０４として、ＱｕｉｃｋＴｉｍｅファイルが再生され、ＭＰＥＧ２データが復号され再生出力される。以上が再生処理のフローの説明である。
【００４２】
以上説明した一連の動作により、アクセス速度の早い内周の特別領域に「ムービー」を、内周領域よりはアクセス速度が遅い外周の一般領域に「メディアデータ」をもつ独立型の単一のＱｕｉｃｋＴｉｍｅファイルを作成できる。通常再生時には、ファイルシステムにしたがってファイルをオープンすれば、通常のＱｕｉｃｋＴｉｍｅファイルを扱うのとなんら区別なく再生が可能である。ファイルコピー時にも、通常の独立型のＱｕｉｃｋＴｉｍｅファイルを扱うのとなんら区別なくコピーが可能である。また、ソートや検索など、ファイルの操作性に関しても、各ＱｕｉｃｋＴｉｍｅファイルの「ムービー」部分が、アクセスの早い内周部分に集中配置されているため、ディスク全周にアクセスする必要なく、きわめて快適なレスポンスを実現することが可能となる。
【００４３】
【発明の効果】
以上説明したように、本発明によれば、コピーの簡便性とファイルの高速検索性を兼ね備えた使用環境をユーザに提供できる。
【図面の簡単な説明】
【図１】本実施の形態における記録処理のフローチャートである。
【図２】本実施の形態における記録媒体の記録形態の図である。
【図３】本実施の形態におけるファイルの構造の図である。
【図４】本実施の形態における記録再生装置の構成ブロック図である。
【図５】本実施の形態における領域ファイル処理のフローチャートである。
【図６】本実施の形態における再生処理のフローチャートである。
【符号の説明】
１００  記録再生装置
１０２  カメラ信号処理回路
１０４  動画像符号化・復号化回路
１０５  静止画像符号化・復号化回路
１０７  フォーマット回路
１０８  ワークメモリ
１０９  記録再生部
１１０  制御回路
１１１  システムコントロール回路
２０２  特別領域
２０３  一般領域
３０１  ムービー
３０２  メディアデータ
【図１】
2005012262.tif 000003
【図２】
2005012262.tif 000004
【図３】
2005012262.tif 000005
【図４】
2005012262.tif 000006
【図５】
2005012262.tif 000007
【図６】
2005012262.tif 000008